(57)【要約】      （修正有）【課題】ファスナーを開閉するファスナーヘッドにおいて、ピンの差し込みと引き抜きがスムーズで噛み合わせが安定したスライダーを提供する。【解決手段】頂板１１と底板を含み、頂板と底板の間に連接部１３を設け、頂板と底板の間に２つのガイド槽１４を形成し、頂板と底板の一側には対向する第１側板（布縫）１９を延伸させ、頂板と底板の他側には対向する第２側板（布縫）２０を延伸させて、各第１側板はそれぞれ第１直線エリア１９１と第１曲線エリア１９２とからなり、各第２側板はそれぞれ第２直線エリア２０１と第２曲線エリア２０２とからなり、第１側板の第１直線エリアの高さは第２側板の第２直線エリアの高さよりも高く、ピンの差込みと引抜きがスムースで噛合せの安定とを同時に配慮できる。【選択図】図４
0003153804.tif 000002
【実用新案登録請求の範囲】
【請求項１】
頂板と底板を含み、前記頂板と前記底板の間に連接部を設け、前記頂板と前記底板の間に２つのガイド槽を形成し、前記頂板と前記底板の一側には対向する第１側板を延伸させ、前記頂板と前記底板の他側には対向する第２側板を延伸させて、各第１側板はそれぞれ第１直線エリアと第１曲線エリアとからなり、各第２側板はそれぞれ第２直線エリアと第２曲線エリアとからなり、前記第１側板の第１直線エリアの高さは前記第２側板の第２直線エリアの高さよりも高いことを特徴とする、スライダー構造。
【請求項２】
前記頂板は、貫通孔を設けられ、前記貫通孔はガイド槽に貫通し、前記第１側板の第１直線エリアは前記第２側板の第２直線エリアより貫通孔に接近していることを特徴とする、請求項1に記載のスライダー構造。
【請求項３】
、
前記第１直線エリアの一端は、前記スライダーの一端に隣接し、他端は、前記第１曲線エリアの一端に連接し、前記第２直線エリアの一端は、前記スライダーの一端に隣接し、他端は、前記第２曲線エリアの一端に連接することを特徴とする、請求項２に記載のスライダー構造。
【請求項４】
前記２つの第１側板は、対向して延伸され、前記２つの第２側板は、対向して延伸されることを特徴とする、請求項２に記載のスライダー構造。
【請求項５】
前記２つの第１側板は、スライダーの右側に設けられ、前記２つの第２側板は、スライダーの左側に設けられることを特徴とする、請求項２に記載のスライダー構造。
【請求項６】
前記２つの第１側板は、スライダーの左側に設けられ、前記２つの第２側板は、スライダーの右側に設けられることを特徴とする、請求項２に記載のスライダー構造。
【請求項７】
前記連接部は、前記頂板と前記底板の中間の上端に近い箇所に位置し、前記２つのガイド槽は、それぞれ前記スライダー内部の連接部の両側に設けられ、前記２つのガイド槽の上部は、前記連接部で隔てられ、前記２つのガイド槽の下部は連通していることを特徴とする、請求項1に記載のスライダー構造。
【請求項８】
前記スライダーの頂板外部には収納部と固定台座とを有し、前記収納部の両側には突出した係止部が設けられることを特徴とする、請求項1に記載のスライダー構造。
【考案の詳細な説明】
【技術分野】
【０００１】
本考案は、スライダーに関し、特にファスナーヘッドに応用し、ピンの差込みと引抜きがスムースで噛合せの安定とを同時に配慮できる、スライダー構造に関する。
【背景技術】
【０００２】
従来のファスナーヘッドは、ファスナーの開閉ができる連結構造となっており、操作が手っ取り早いという特性があることから、古今を問わず、ファスナーヘッドは広くカバンや既製服に応用されている。ファスナーの原理は、対向する噛合せ可能なファスナーテープでもって噛合せ、ファスナーヘッドの引っ張る往復動作により開閉を行うことにあり、ファスナーテープとファスナーヘッドの材質は、金属、ナイロン又は繊維強化プラスチック等でも構わない。
【０００３】
従来のファスナーヘッドは、ほぼスライダー、フック、弾性片、キャップ及びプルタブからなり、フックは弾性片を圧接することによりスライダーのガイド槽内に進入させ、プルタブの一端はフック下方に位置し、キャップは被せるようにしてスライダーに固定してフックと弾性片をキャップ内部に収める。一例として、特許文献１は「ファスナーヘッドの組合せ構造（二）」を開示している。
【０００４】
従来のファスナーヘッドは、その頂板と底板の両側にそれぞれ対向して延伸させた側板（布縫製）を設け、２つの側板の間に適当な間隙を形成して、ファスナーテープが貫通できるようにする。但し、従来のスライダーの二辺の側板の直線エリアは同様の高さ（腰高）設計を採用しており、フックの噛合せ時の安定を考慮すると、スライダーの二辺の側板の直線エリアは高さの高い（ハイウェスト）設計を採用する必要があるが、このようにするとファスナーテープのピンの差込みと抜取りを共に配慮することができず、つまりピンは差込みと抜取り時に支障を来たし易くなる。ピンの差込みと抜取りのスムースさを考慮するならば、スライダーの二辺の側板の直線エリアは高さが低い（ローウェスト）構造の設計を採用する必要があるが、このようにすると係止が不安定となる問題を生じる。
【０００５】
そこで、本考案者は、上記の欠点が改善可能と考え、研究に専念する共に併せて学術理論を運用して、合理的設計で上記の欠点を効果的に改善した本考案を提案するものである。
【先行技術文献】
【特許文献】
【０００６】
【特許文献１】台湾実用新案Ｍ２９２２９６号明細書（出願番号：９５２００１１３）
【考案の概要】
【考案が解決しようとする課題】
【０００７】
本考案の主な目的は、ピンの差込みと引抜きがスムースで噛合せの安定とを同時に具備するスライダー構造を提供することにある。
【課題を解決するための手段】
【０００８】
上記の目的を達成するため本考案は、頂板と底板を含み、前記頂板と前記底板の間に連接部を設け、前記頂板と前記底板の間に２つのガイド槽を形成し、前記頂板と前記底板の一側には対向する第１側板を延伸させ、前記頂板と前記底板の他側には対向する第２側板を延伸させて、各第１側板はそれぞれ第１直線エリアと第１曲線エリアとからなり、各第２側板はそれぞれ第２直線エリアと第２曲線エリアとからなり、前記第１側板の第１直線エリアの高さは前記第２側板の第２直線エリアの高さよりも高いことを特徴とするスライダー構造を提供する。
【考案の効果】
【０００９】
本考案には以下の有益な効果がある。
本考案のスライダー側板の直線エリアの高さ（腰高）は左右が異なる高さの設計としており、ピンの差込みと引抜きがスムースで噛合せの安定を同時に配慮できる。
【００１０】
本考案の特徴や技術内容を一層理解できるよう、以下に本考案に関する詳細な説明を添付図面を参照してするが、添付図面は参考と説明用に供したに過ぎず、本考案に制限を加えるものではない。
【図面の簡単な説明】
【００１１】
【図１】本考案のスライダー構造の斜視図である。
【図２】本考案のスライダー構造の断面斜視図である。
【図３】本考案のスライダー構造の平面断面図１である。
【図４】本考案のスライダー構造の平面断面図２である。
【図５】本考案のスライダー構造に係る別の実施例の平面断面図１である。
【図６】本考案のスライダー構造に係る別の実施例の平面断面図２である。
【考案を実施するための形態】
【実施例】
【００１２】
図１から図４で示すように、本考案は、スライダー１に頂板１１と底板１２とを含み、前記頂板１１と前記底板１２との間に適宜な間隔を設け、前記頂板１１と前記底板１２がほぼ平行であるスライダー構造を提供する。
前記頂板１１と前記底板１２との間に連接部１３を設け、前記連接部１３は、頂板１１と底板１２との中間の上端に近い箇所に位置し、頂板１１と底板１２とを一体に連接する。
前記頂板１１と前記底板１２との間に２つのガイド槽１４を形成し、前記２つのガイド槽１４は、それぞれスライダー１の内部の連接部１３の左右両側に設けられ、前記２つのガイド槽１４の上部は、連接部１３で隔てられ、前記２つのガイド槽１４の下部は、連通し、前記２つのガイド槽１４は、ファスナーテープを収納するのに用いられる。
【００１３】
前記スライダー１の頂板１１外部は、フック（図省略）を収納するための収納部１５を有し、前記収納部１５の両側には突出した係止部１６が設けられ、フックが左右にずれるのを防止する。
前記頂板１１にはさらに貫通孔１７が設けられ、前記貫通孔１７は前記ガイド槽１４にまで貫通し、前記フックは、前記貫通孔１７内に貫入される。前記スライダー１の頂板１１の外部には、別途固定台座１８を有し、固定台座１８は固定キャップ（図省略）をリベット締めするのに用いられる。
【００１４】
前記頂板１１と前記底板１２の一側には、対向する第１側板１９（布縫（キャンバス縫い））が延伸され、前記２つの第１側板１９は、対向して延伸され、前記２つの第１側板１９の間にファスナーテープを貫通できるように適宜な間隔が形成される。
前記頂板１１と前記底板１２の他側には、対向する第２側板２０（布縫（キャンバス縫い））が延伸され、前記２つの第２側板２０は対向して延伸され、前記２つの第２側板２０の間にファスナーテープを貫通できるように適宜な間隔が形成される。
【００１５】
本実施例において、第１側板１９は、スライダー１の右側に設けられ、第２側板２０は、スライダー１の左側に設けられるが、ファスナーテープのピンの差込み形式（左挿し又は右挿し）の相違に応じて、図５、図６で示すように、第１側板をスライダー１の左側に設け、第２側板２０をスライダー１の右側に設けることもできる。
【００１６】
各第１側板１９は、それぞれ第１直線エリア１９１と第１曲線エリア１９２とからなり、前記第１直線エリア１９１の一端（下端）は、前記スライダー１の一端（下端）に隣接し、他端（上端）は、第１曲線エリア１９２の一端（下端）に連接される。
各第２側板２０は、それぞれ第２直線エリア２０１と第２曲線エリア２０２とからなり、前記第２直線エリア２０１の一端（下端）は、前記スライダー１の一端（下端）に隣接し、他端（上端）は、第２曲線エリア２０２の一端（下端）に連接する。
【００１７】
本考案では、第１側板１９の第１直線エリア１９１と第２側板２０の第２直線エリア２０１とは、異なる高さ設計を採用しており、第１側板１９の第１直線エリア１９１の高さｈ１は第２側板２０の第２直線エリア２０１の高さｈ２より高く、スラーダー１の側板の直線エリア１９１、２０１の高さ（腰高）は、左右異なる高さとなっており、貫通孔１７に接近した第１側板１９の第１直線エリア１９１は高めの高さを有し、他方の第２側板２０の第２直線エリア２０１は低めの高さを有する構成であり、上記構成によって本考案のスライダー構造を形成している。
【００１８】
前記第１側板１９の第１直線エリア１９１は、前記第２側板２０の第２直線エリア２０１に比べて貫通孔１７に接近している。貫通孔１７に接近した第１側板１９の第１直線エリア１９１は、高めの高さを有するが、前記貫通孔１７は、係止用のフックを合せる必要があり、第１側板１９の第１直線エリア１９１の高さが高いことによって、第１側板１９と連接部１３の間の間隔が小さくなって係止が安定する。
他方の第２側板２０の第２直線エリア２０１は、低めの高さを有することによって、第２側板２０と連接部１３との間の間隔が大きくなり、ピンは、差込みと抜取り時に支障を来たし難くなり、ピンの差込みと抜取りがスムースとなる。
本考案のスライダー１の側板の直線エリア１９１、２０１の高さ（腰高）は、左右異なる高さの設計をしており、ピンの差込みと引抜きがスムースで噛合せの安定を同時に配慮できる。
【００１９】
以上の記述は、本考案の好ましい実施例に過ぎず、これをもって本考案の保護範囲を限定するものではなく、従って本考案の明細書及び図面の内容を運用して行った均等な変更は、何れも同様の原理で全て本実用新案登録請求の範囲内に含まれる旨、併せて言明する。
【符号の説明】
【００２０】
１      スライダー
１１    頂板
１２    底板
１３    連接部
１４    ガイド槽
１５    収納部
１６    係止部
１７    貫通孔
１８    固定台座
１９    第１側板
１９１  第１直線エリア
１９２  第１曲線エリア
２０    第２側板
２０１  第２直線エリア
２０２  第２曲線エリア
【図１】
0003153804.tif 000003
【図２】
0003153804.tif 000004
【図３】
0003153804.tif 000005
【図４】
0003153804.tif 000006
【図５】
0003153804.tif 000007
【図６】
0003153804.tif 000008